(57)【要約】【課題】フォーカスエラー信号のバランス調整中に、光ピックアップのフォトディテクタの大きな受光のバランスずれが有っても、フォーカスエラー信号のバランス調整を適正に行うことができる光ディスク再生装置を提供する。【解決手段】光ピックアップがフォーカス・オンされると、システムコントローラは、フォトディテクタから出力されたＡ，Ｂ，Ｃ，Ｄの信号のレベルを検出し、Ａ，Ｂ，Ｃ，Ｄの信号のレベルに基づいてフォトディテクタの受光のバランスずれ量を計算する。フォトディテクタの受光のバランスずれが有ることが検出された場合、前記計算されたフォトディテクタの受光のバランスずれ量によってフォーカスエラー信号のバランス調整のためのオフセット初期値の変更を行い、光ピックアップをトラック・オンさせる。この後、前記変更されたオフセット初期値に基づいてフォーカスエラー信号のバランス調整を行う。【選択図】図４
2008257765.tif 000002
【特許請求の範囲】
【請求項１】
光ディスクに記録された情報を光学的に読み出す光ピックアップを備え、光ディスクに記録された情報を再生する光ディスク再生装置において、
光ディスクが挿入された後、光ピックアップがフォーカス・オンしているとき、光ピックアップのフォトディテクタから出力された複数の信号のレベルに基づいて、フォトディテクタの受光のバランスずれ量を計算し、この受光のバランスずれ量によってフォーカスエラー信号のバランス調整のためのオフセット初期値の変更を行うことにより、前記変更されたオフセット初期値に基づいてフォーカスエラー信号のバランス調整を行うシステムコントローラを備えたことを特徴とする光ディスク再生装置。
【請求項２】
前記システムコントローラは、光ディスクが挿入された後、光ピックアップがフォーカス・オンされることによって光ピックアップのフォトディテクタから出力された第１，第２，第３，第４の信号のレベルを検出する信号レベル検出手段と、前記検出された第１，第２，第３，第４の信号のレベルに基づいてフォトディテクタの受光のバランスずれ量を計算するバランスずれ量計算手段と、前記受光のバランスずれ量が有れば、前記計算されたフォトディテクタの受光のバランスずれ量によってフォーカスエラー信号のバランス調整のためのオフセット初期値の変更を行うオフセット初期値変更手段と、前記フォーカスエラー信号のバランス調整のためのオフセット初期値の変更を行った後、光ピックアップをトラック・オンさせるトラック・オン手段と、前記光ピックアップがトラック・オンされた後、前記変更されたオフセット初期値に基づいてフォーカスエラー信号のバランス調整を行う受光のバランス調整手段とを有することを特徴とする請求項１に記載の光ディスク再生装置。
【請求項３】
前記フォトディテクタは、トラック方向軸と該トラック方向軸に直交する軸とによって分割された４つの検出領域を有し、前記バランスずれ量計算手段は、前記４分割の検出領域から検出された第１，第２，第３，第４の信号のレベルに基づいて前記フォトディテクタの４つの検出領域の受光のバランスずれ量を計算することを特徴とする請求項１または請求項２に記載の光ディスク再生装置。
【請求項４】
前記オフセット初期値の変更は、フォトディテクタの受光の各バランスずれ量に対応して予め設定された各加算値を記憶したメモリから前記計算されたバランスずれ量に対応する加算値を読み出し、この加算値を前記オフセット初期値に加算して行うことを特徴とする請求項１または請求項２に記載の光ディスク再生装置。
【発明の詳細な説明】
【技術分野】
【０００１】
本発明は、光ディスクに記録された情報を光学的に読み出す光ピックアップを備え、光ディスクに記録された情報を再生する光ディスク再生装置に関し、特に、光ピックアップに内蔵された対物レンズのフォーカスサーボに用いられるフォーカスエラー信号のバランス調整に関する。
【背景技術】
【０００２】
従来から光ディスク再生装置は、レーザービームを光ディスク上のトラックに収束させるための対物レンズを有し、光ディスクに記録された情報を光学的に読み出す光ピックアップと、この光ピックアップからのＲＦ信号から得たトラッキングエラー信号に基づいて前記対物レンズをトラッキング制御するトラッキングサーボ系と、前記光ピックアップからのＲＦ信号から得たフォーカスエラー信号に基づいて前記対物レンズをフォーカス制御するフォーカスサーボ系とを備えている。
【０００３】
トラッキングサーボ系は、光ピックアップからのＲＦ信号からトラッキングエラー信号を検出するトラッキングエラー検出回路と、前記検出されたトラッキングエラー信号に基づいて対物レンズをトラッキング位置制御するためのトラッキング用アクチュエータを駆動させる駆動信号を出力するトラッキングドライブ回路とを備えている。フォーカスサーボ系は、光ピックアップからのＲＦ信号からフォーカスエラー信号を検出するフォーカスエラー検出回路と、前記検出されたフォーカスエラー信号に基づいて対物レンズをフォーカス位置制御するためのフォーカス用アクチュエータを駆動させる駆動信号を出力するフォーカスドライブ回路とを備えている。
【０００４】
ところで、フォーカスエラー信号は、ディスク記録面との距離の変化に応じてＳ字状に変化し、このＳ字カーブが基準電圧をクロスする位置が合焦点となる。光ピックアップは、光ディスクからの反射光を検出する４分割された検出領域ａ，ｂ，ｃ，ｄを有するフォトディテクタを有し、１本の対角線上に配置された２個の検出領域ａ，ｃの出力Ａ，Ｃを加算して第１加算信号（Ａ＋Ｃ）を作成すると共に、他の１本の対角線上に配置された２個の検出領域ｂ，ｄの出力Ｂ，Ｄを加算して第２加算信号（Ｂ＋Ｄ）を作成する。光ピックアップの焦点がずれると、第１加算信号（Ａ＋Ｃ）と第２加算信号（Ｂ＋Ｄ）とに差が生じ、この差が光ピックアップの焦点のずれに応じたフォーカスエラー信号となる。
【０００５】
光ピックアップから出射されたレーザービームが光ディスクに対して焦点がずれた場合、フォーカスエラー信号のＳ字カーブは、基準電圧を中心とする上下の受光のバランスが崩れて非対称となり、このようなＳ字カーブに基づいてフォーカスサーボを実行すると、真の合焦点が得られない問題がある。そこで、従来から光ディスク再生装置ではフォーカスエラー信号のバランス調整が行われている。
【特許文献１】特開２００６−１３４４４７号公報
【特許文献２】特開２００４−３２６９８７号公報
【特許文献３】特開２００４−２８８２５１号公報
【特許文献４】特開２００３−２２８８５５号公報
【発明の開示】
【発明が解決しようとする課題】
【０００６】
光ディスク再生装置においては、光ディスクが挿入された後、その光ディスクの情報の読み取り時に、フォーカスエラー信号にオフセット電圧を印加し、ＲＦ信号のジッタが最小になるようにしているが、フォーカスエラー信号のバランスとジッタとの関係は、光ピックアップのフォトディテクタの受光のバランスずれによって大きく変動する（図３参照）。このフォトディテクタの受光のバランスずれは、例えば、光ピックアップの装置本体に対する取り付け位置の微妙な誤差や、光ピックアップに対するフォトディテクタの取り付け位置の微妙な誤差などで生じる。
【０００７】
したがって、従来の光ディスク再生装置では、フォーカスエラー信号のバランスとジッタとの関係が、前述した光ピックアップのフォトディテクタの受光のバランスずれによって大きく変動するのに対処するため、ＰＤバランス（フォトディテクタの受光のバランス）ティピカル値により、フォーカスエラー信号のバランス調整のためのオフセット初期値を決めている。ＰＤバランスティピカル値とは、光ピックアップが最初に目標としているＰＤバランス値であり、このＰＤバランス値で、どこがフォーカスエラー信号のバランスが最良であるかを調べて、その最良値を、フォーカスエラー信号のバランス調整のためのオフセット初期値とし、そのオフセット初期値から、どの位振るかを決めて、そのオフセット初期値から振られた値を用いて、フォーカスエラー信号のバランス調整を行っている。
【０００８】
しかしながら、従来の光ディスク再生装置においては、ＰＤバランスが大きくずれた場合には、フォーカスエラー信号のオフセット量が全く違ってくるので、フォーカスエラー信号のバランス調整ができなくなると言う課題が生じる。なお、ＰＤバランスが大きくずれると、フォーカスエラー信号のオフセット量が全く違ってくるので、ＰＤバランスの許容範囲を狭くするより仕方がなかった。ＰＤバランスの許容範囲を狭めるために、フォーカスエラー信号のバランスの調整段階で、制度良く調整する必要があり、このため、調整作業に手間がかかり、また、調整が不可能な光ピックアップは交換して、再度、フォーカスエラー信号のバランスの調整を行ったりしているので、生産効率の低下を招くと言う課題も生じる。
【０００９】
なお、特許文献１の従来技術では、フォーカスエラー信号のバランス調整値を算出し、この受光のバランス調整値により得られたフォーカスエラー信号によりフォーカスサーボを行うようにしているが、ＰＤバランスが大きくずれた場合、フォーカスエラー信号のオフセット量が全く違ってくるので、フォーカスエラー信号のバランス調整が適正にできなくなり、上記のような課題を解決できるものではない。
【００１０】
特許文献２の従来技術では、光ディスクに情報信号を記録する前に、試し書きを行い、試し書きによる再生信号に含まれるジッタを用いてフォーカスエラー信号に加算するオフセット電圧を調整しているが、ジッタの最小付近が鍋底のような特性を有しているので、ジッタだけを用いてもオフセット電圧の調整精度が低く、したがって、フォーカスエラー信号のバランス調整も適正ではなく、上記のような課題を解決できるものではない。
【００１１】
特許文献３の従来技術では、データのジッタ値が最小となるオフセット電圧値を求め、このオフセット電圧値の電圧をフォーカスエラー信号に与えて、フォーカスサーボを行っているが、ＰＤバランスが大きくずれた場合、フォーカスエラー信号のオフセット量が全く違ってくるので、フォーカスエラー信号のバランス調整が適正にできなくなり、上記のような課題を解決できるものではない。
【００１２】
特許文献４の従来技術では、再生信号のジッタ量が最小となるときのフォーカスオフセット電圧を求め、このフォーカスオフセット電圧をフォーカスエラー信号に与えて、フォーカスサーボを行っているが、この従来技術も、ＰＤバランスが大きくずれた場合、フォーカスエラー信号のオフセット量が全く違ってくるので、フォーカスエラー信号のバランス調整が適正にできなくなり、上記のような課題を解決できるものではない。
【００１３】
本発明は、上記のような課題を解決するためになされたもので、フォーカスエラー信号のバランス調整中に、光ピックアップのフォトディテクタの大きな受光のバランスずれが有っても、フォーカスエラー信号のバランス調整を適正に行うことができる光ディスク再生装置を提供することを目的とする。
【課題を解決するための手段】
【００１４】
上記目的を達成するために、請求項１の発明は、光ディスクが挿入された後、光ピックアップがフォーカス・オンしているとき、光ピックアップのフォトディテクタから出力された複数の信号のレベルに基づいて、フォトディテクタの受光のバランスずれ量を計算し、この受光のバランスずれ量によってフォーカスエラー信号のバランス調整のためのオフセット初期値の変更を行うことにより、前記変更されたオフセット初期値に基づいてフォーカスエラー信号のバランス調整を行うシステムコントローラを備えたことを特徴とする光ディスク再生装置を提供する。
【００１５】
この構成において、光ディスクが挿入された後、光ピックアップがフォーカス・オンしているとき、光ピックアップのフォトディテクタから出力された複数の信号のレベルに基づいて、フォトディテクタの受光のバランスずれ量が計算され、この受光のバランスずれ量によってオフセット初期値の変更が行われる。そして、前記変更されたオフセット初期値に基づいてフォーカスエラー信号のバランス調整が行われる。
【００１６】
この構成によれば、フォトディテクタの受光のバランスが大きくずれていても、フォーカスエラー信号へのオフセット初期値を変更して、フォーカスエラー信号のバランス調整を行うようにしたので、フォーカスエラー信号のバランス調整が改善され、これにより、フォーカスサーボの精度が向上し、高精度の再生信号を得ることができる。また、従来のように、フォトディテクタの受光のバランスの許容範囲を狭くする必要が無くなり、これにより、調整作業が簡単にできて、生産効率が向上し、コストダウンも図れる。
【００１７】
請求項２の発明では、請求項１の発明において、前記システムコントローラは、光ディスクが挿入された後、光ピックアップがフォーカス・オンされることによって光ピックアップのフォトディテクタから出力された第１，第２，第３，第４の信号のレベルを検出する信号レベル検出手段と、前記検出された第１，第２，第３，第４の信号のレベルに基づいてフォトディテクタの受光のバランスずれ量を計算するバランスずれ量計算手段と、前記受光のバランスずれ量が有れば、前記計算されたフォトディテクタの受光のバランスずれ量によってフォーカスエラー信号のバランス調整のためのオフセット初期値の変更を行うオフセット初期値変更手段と、前記フォーカスエラー信号のバランス調整のためのオフセット初期値の変更を行った後、光ピックアップをトラック・オンさせるトラック・オン手段と、前記光ピックアップがトラック・オンされた後、前記変更されたオフセット初期値に基づいてフォーカスエラー信号のバランス調整を行う受光のバランス調整手段とを有することを特徴とする。
【００１８】
この構成において、光ディスクが挿入された後、光ピックアップがフォーカス・オンされると、信号レベル検出手段は、光ピックアップのフォトディテクタから出力された第１，第２，第３，第４の信号を入力して、第１，第２，第３，第４の信号のレベルを検出し、バランスずれ量計算手段は、第１，第２，第３，第４の信号のレベルに基づいてフォトディテクタの受光のバランスずれ量を計算する。
【００１９】
フォトディテクタの受光のバランスずれが有ることが検出された場合、オフセット初期値変更手段は、前記計算されたフォトディテクタの受光のバランスずれ量によってフォーカスエラー信号のバランス調整のためのオフセット初期値の変更を行う。オフセット初期値の変更を行った後、トラック・オン手段は、光ピックアップからのレーザービームが光ディスクのトラック面に照射されるように光ピックアップをトラック・オンさせる。このように光ピックアップがトラック・オンされた後、受光のバランス調整手段は、前記変更されたオフセット初期値に基づいてフォーカスエラー信号のバランス調整を行う。
【００２０】
この構成によれば、フォトディテクタの受光のバランスが大きくずれていても、フォーカスエラー信号へのオフセット初期値を変更して、フォーカスエラー信号のバランス調整を行うようにしたので、フォーカスエラー信号のバランス調整が改善され、これにより、フォーカスサーボの精度が向上し、高精度の再生信号を得ることができる。また、従来のように、フォトディテクタの受光のバランスの許容範囲を狭くする必要が無くなり、これにより、調整作業が簡単にできて、生産効率が向上し、コストダウンも図れる。
【００２１】
請求項３の発明では、請求項１または請求項２の発明において、前記フォトディテクタは、トラック方向軸と該トラック方向軸に直交する軸とによって分割された４つの検出領域を有し、前記バランスずれ量計算手段は、前記４分割の検出領域から検出された第１，第２，第３，第４の信号のレベルに基づいて前記フォトディテクタの４つの検出領域の受光のバランスずれ量を計算することを特徴とする。
【００２２】
この構成により、前記バランスずれ量計算手段は、前記４分割の検出領域から検出された第１，第２，第３，第４の信号のレベルに基づいて前記フォトディテクタの４つの検出領域の受光のバランスずれ量を計算することができ、これにより、フォトディテクタの受光のバランスずれ量が分かり、フォーカスエラー信号へのオフセット初期値を変更させる値を決定することが可能になる。
【００２３】
請求項４の発明では、請求項１または請求項２の発明において、前記オフセット初期値の変更は、フォトディテクタの受光の各バランスずれ量に対応して予め設定された各加算値を記憶したメモリから前記計算されたバランスずれ量に対応する加算値を読み出し、この加算値を前記オフセット初期値に加算して行うことを特徴とする。
【００２４】
この構成により、前記計算されたバランスずれ量に対応する加算値が前記オフセット初期値に加算されるので、前記オフセット初期値を適切に変更させることが可能になる。
【発明の効果】
【００２５】
以上のように本発明によれば、フォトディテクタの受光のバランスが大きくずれていても、フォーカスエラー信号へのオフセット初期値を変更して、フォーカスエラー信号のバランス調整を行うようにしたので、フォーカスエラー信号のバランス調整が改善され、これにより、フォーカスサーボの精度が向上し、高精度の再生信号を得ることができる。また、従来のように、フォトディテクタの受光のバランスの許容範囲を狭くする必要が無くなり、これにより、調整作業が簡単にできて、生産効率が向上し、コストダウンも図れる。
【発明を実施するための最良の形態】
【００２６】
以下、添付図面を参照しつつ、本発明の実施の形態について説明する。図１は本発明の一実施形態に係る光ディスク再生装置の構成を示すブロック図である。
【００２７】
図１において、この光ディスク再生装置は、ＤＶＤ等の光ディスク１に記録された情報を再生するためにレーザービームを出射すると共に光ディスク１からの反射光を受光する光ピックアップ３と、光ディスク１を回転させるスピンドルモータ２と、このスピンドルモータ２を駆動するスピンドルドライブ回路１９と、光ピックアップ３のトラッキングサーボを行うトラッキング用アクチュエータ（図示せず）を駆動するトラッキングドライブ回路１７と、光ピックアップ３のフォーカスサーボを行うフォーカス用アクチュエータ（図示せず）を駆動するフォーカスドライブ回路１６と、光ピックアップ３を光ディスク１の半径方向に移動させるスレッド４と、このスレッド４を駆動するスレッドドライブ回路１８とを備えている。
【００２８】
また、この光ディスク再生装置は、光ディスク１の再生時に光ピックアップ３からのＲＦ信号を増幅するＲＦアンプ５と、ＶＣＯ（voltage controlled oscillator）を含むＰＬＬ（phase locked loop）８を備えＲＦアンプ５からのＲＦ信号を入力してデータと同期信号を分離するデータ／同期信号分離回路６と、このデータ／同期信号分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号をビデオ出力端子２３とオーディオ出力端子２４をそれぞれ介して例えばテレビジョン受像機２２に供給するＡＶデコード回路１０とを備えている。
【００２９】
また、このディスク再生装置は、ＲＦアンプ５からのＲＦ信号に含まれ光ディスク１上のトラックの無いミラー面を示すミラー信号を検出してミラー面をカウントするミラー検出回路７と、光ピックアップ３からのＲＦ信号に含まれるトラッキングエラー信号を検出するトラッキングエラー検出回路１１と、光ピックアップ３からのＲＦ信号に含まれるフォーカスエラー信号を検出するフォーカスエラー検出回路１２と、トラッキングエラー検出回路１１からのトラッキングエラー信号に基づいてトラッククロスを検出してトラックパルスを出力するトラッククロス検出回路１３とを備えている。
【００３０】
また、この光ディスク再生装置には、この装置本体の前面などに設けられ装置電源のオン／オフ操作や再生に関する各種操作などを行うための複数のキーを有した操作部２５が備えられている。この操作部２５は、リモコン（リモートコントローラ）２６からの操作指令を示す光信号を受信する受光手段（図示せず）を備え、この受光手段により光信号を電気信号に変換してシステムコントローラ１４に指令信号を入力する。リモコン２６は、装置電源のオン／オフ操作や再生に関する各種操作などを行うための複数のキー（図示せず）を有している。
【００３１】
また、この光ディスク再生装置は、演算や処理を行うＣＰＵ１５と、このＣＰＵ１５に従って上記各構成要素を制御するシステムコントローラ１４と、装置の制御や処理に必要なプログラムや情報を記憶するメモリ２０とを備えている。このシステムコントローラ１４は、光ピックアップ３からのＲＦ信号に含まれるフォーカスエラー信号に基づいて光ピックアップ３のフォーカスサーボのための制御、光ピックアップ３からのＲＦ信号に含まれるトラッキングエラー信号に基づいて光ピックアップ３のトラッキングサーボのための制御、操作部２５やリモコン２６からの再生指示信号に従って光ディスク１の再生位置を決めるためスレッドドライブ回路１８を介してスレッド４を駆動して光ピックアップ３を光ディスク１の半径方向に移動させる制御、操作部２５やリモコン２６からの指令信号によりスピンドルドライブ回路１９を介してスピンドルモータ２を回転させる制御などを行う。
【００３２】
更に、システムコントローラ１４は、光ディスク１が挿入された後、光ピックアップ３がフォーカス・オンされることによって光ピックアップ３のフォトディテクタ３１（図２参照）から出力された第１，第２，第３，第４（Ａ，Ｂ，Ｃ，Ｄ）の信号のレベルを検出する信号レベル検出手段と、前記検出された第１，第２，第３，第４（Ａ，Ｂ，Ｃ，Ｄ）の信号のレベルに基づいてフォトディテクタ３１の受光のバランスずれ量（詳しくは図２に示す検出領域ａ，ｂ，ｃ，ｄの受光のバランスのずれ量）を計算するバランスずれ量計算手段と、前記計算されたフォトディテクタ３１の受光のバランスずれ量によってフォーカスエラー信号のバランス調整のためのオフセット初期値の変更を行うオフセット初期値変更手段と、前記フォーカスエラー信号のバランス調整のためのオフセット初期値の変更を行った後、光ピックアップ３をトラック・オンさせるトラック・オン手段と、光ピックアップ３がトラック・オンされた後、前記変更されたオフセット初期値に基づいてフォーカスエラー信号のバランス調整を行う受光のバランス調整手段とを有する。
【００３３】
図２は本実施形態においてトラッキングエラー検出回路およびフォーカスエラー検出回路に含まれるエラー信号生成回路の回路図である。図２に示すように、フォトディテクタ３１は、トラック方向軸３２と、このトラック方向軸３２に直交する軸３３とによって、分割された４つの検出領域ａ，ｂ，ｃ，ｄを有する。エラー信号生成回路５１は、４つの加算器５２，５３，５４，５５と、２つの減算器５６，５７とから構成される。
【００３４】
加算器５２は、４つの検出領域ａ，ｂ，ｃ，ｄのうちの検出領域ａからのＡ信号と検出領域ｃからのＣ信号とを加算する。また、加算器５３は、４つの検出領域ａ，ｂ，ｃ，ｄのうちの検出領域ｂからのＢ信号と検出領域ｄからのＤ信号とを加算する。そして、減算器５６は、加算器５２の出力（Ａ＋Ｃ）から加算器５３の出力（Ｂ＋Ｄ）を減算し、減算結果[（Ａ＋Ｃ）−（Ｂ＋Ｄ）]をフォーカスエラー信号ＦＥとして出力する。
【００３５】
加算器５５は、４つの検出領域ａ，ｂ，ｃ，ｄのうちの検出領域ａからのＡ信号と検出領域ｄからのＤ信号とを加算する。また、加算器５４は、４つの検出領域ａ，ｂ，ｃ，ｄのうちの検出領域ｂからのＢ信号と検出領域ｃからのＣ信号とを加算する。そして、減算器５７は、加算器５５の出力（Ａ＋Ｄ）から加算器５４の出力（Ｂ＋Ｃ）を減算し、減算結果[（Ａ＋Ｄ）−（Ｂ＋Ｃ）]をプッシュプル方式のトラッキングエラー信号ＴＥとして出力する。
【００３６】
図３は、本実施形態において光ピックアップのフォトディテクタの受光のバランスずれが無い場合のフォーカスエラー信号のバランス調整のためのオフセット値とＲＦ信号のジッタとの関係、およびフォトディテクタの大きな受光のバランスずれが有る場合の前記オフセット値とＲＦ信号のジッタとの関係をグラフで示した図である。なお、オフセット値は、フォーカスエラー信号に印加するオフセット電圧の値を１６進数化したものである。
【００３７】
図３において、Ｌ１はフォトディテクタの受光のバランスずれが無い場合のフォーカスエラー信号のバランス調整のためのオフセット値とＲＦ信号のジッタとの関係を示す特性曲線である。Ｌ２はフォトディテクタの大きな受光のバランスずれが有る場合のフォーカスエラー信号のバランス調整のためのオフセット値とＲＦ信号のジッタとの関係を示す特性曲線である。Ｆ１は特性曲線Ｌ１においてジッタが最小となるときのオフセット値を示す点であり、Ｆ２は特性曲線Ｌ２においてジッタが最小となるときのオフセット値を示す点である。点Ｆ２は、点Ｆ１で示すオフセット値（オフセット初期値）をフォトディテクタの受光のバランスずれ量に応じて変更されたオフセット値（変更されたオフセット初期値）を示す。したがって、その変更されたオフセット初期値に対応するオフセット電圧を、フォーカスエラー信号に印加すれば、フォトディテクタの受光のバランスが大きくずれた場合も、このときのＲＦ信号のジッタは、特性曲線Ｌ２で示すように点Ｆ２で最小になるので、この場合もフォーカスエラー信号のバランス調整を行うことが可能になる。
【００３８】
前述したように、点Ｆ１は、フォトディテクタの受光のバランスずれが無い場合においてフォーカスエラー信号のバランス調整を行うためにフォーカスエラー信号に印加されるオフセット電圧の初期値に対応するオフセット初期値を示す。また、点Ｆ２は、フォトディテクタの大きな受光のバランスずれが有る場合においてフォーカスエラー信号のバランス調整を行うためにフォーカスエラー信号に印加されるオフセット電圧の初期値に対応するオフセット初期値を示し、点Ｆ１で示したオフセット初期値をフォトディテクタの受光のバランスずれ量に応じて変更したオフセット初期値を示す。
【００３９】
特性曲線Ｌ２で示すように、フォトディテクタの大きな受光のバランスずれが生じても、オフセット初期値を点Ｆ１から点Ｆ２に変更することにより、フォーカスエラー信号のバランス調整を行うことができるようになる。なお、受光のバランスが大きくずれたフォトディテクタでは、図３中のＧで示す範囲以外のオフセット値では、光ピックアップはフォーカス外れが発生する可能性がある。即ち、特性曲線Ｌ１で示すオフセット値とジッタとの関係を有するフォトディテクタを搭載した光ピックアップで合わせ込んだオフセット初期値を、特性曲線Ｌ２で示すオフセット値とジッタとの関係を有するフォトディテクタを搭載した光ピックアップに採用しても、この光ピックアップはフォーカス外れが発生する。このような問題点を解決するために、本実施形態では以下のような処理が行われる。
【００４０】
図４は本実施形態においてフォーカスエラー信号のバランス調整を行う際の処理を説明するためのフローチャートである。このフローチャートおよび図１〜図３を参照してフォーカスエラー信号のバランス調整を行う際の処理について説明する。
【００４１】
先ず、リモコン２６などの電源キーの押下に応答して、システムコントローラ１４は、光ディスク再生装置の電源をオンし（ステップＳ１）、この後、光ディスク１が挿入されたことを検知すると（ステップＳ２）、光ディスク１のコントロールデータゾーンからディスク情報を読み出す処理である所謂マウント処理を開始する（ステップＳ３）。
【００４２】
マウント処理が開始すると、システムコントローラ１４は、スピンドルドライブ回路１９を介してスピンドルモータ２を駆動させることにより光ディスク１を回転させると共に、フォーカスドライブ回路１６を駆動させ、光ピックアップ３のフォーカス用アクチュエータ（図示せず）を制御して対物レンズ（図示せず）を光ディスク１に対して垂直方向に動かし、光ピックアップ３からのレーザービームが光ディスク１の記録面に照射されるように光ピックアップ３をフォーカス・オンする（ステップＳ４）。そして、システムコントローラ１４の信号レベル検出手段は、光ピックアップ３のフォトディテクタ３１から出力されたＡ，Ｂ，Ｃ，Ｄ信号を入力して、Ａ，Ｂ，Ｃ，Ｄ信号のレベルを検出し（ステップＳ５）、バランスずれ量計算手段は、Ａ，Ｂ，Ｃ，Ｄ信号のレベルに基づいてフォトディテクタ（ＰＤ）３１の受光のバランスずれ量を計算する（ステップＳ６）。フォトディテクタ３１の受光のバランスずれ量は、例えば（Ａ＋Ｃ）−（Ｂ＋Ｄ）という計算を行うことにより求めることができる。即ち、（Ａ＋Ｃ）−（Ｂ＋Ｄ）は、例えば、図２に示すエラー信号生成回路５１から出力されるフォーカスエラー信号ＦＥにも相当する。
【００４３】
（Ａ＋Ｃ）−（Ｂ＋Ｄ）による計算結果が「０」であれば、フォトディテクタ３１の受光のバランスずれは無いことを示すので、オフセット初期値は、例えば、図３中の点Ｆ１で示すオフセット値になる。また、（Ａ＋Ｃ）−（Ｂ＋Ｄ）による計算結果が「０」以外であり、その受光のバランスずれ量に対応する加算値が例えば「３」であれば、点Ｆ１を＋３振った点Ｆ２が、変更されたオフセット初期値になる。
【００４４】
したがって、（Ａ＋Ｃ）−（Ｂ＋Ｄ）による計算結果により、フォトディテクタ３１の受光のバランスずれが有ることが検出された場合（ステップＳ７）、システムコントローラ１４のオフセット初期値変更手段は、前記受光のバランスずれ量が有れば、前記計算されたフォトディテクタの受光のバランスずれ量によって、フォーカスエラー信号のバランス調整のためのオフセット初期値の変更を行う（ステップＳ８）。即ち、メモリ２０には、各バランスずれ量に対応して予め設定された各加算値が記憶されており、オフセット初期値変更手段は、前記計算されたバランスずれ量に対応した加算値をメモリ２０から読み出し、オフセット初期値に加算して、オフセット初期値を変更する。
【００４５】
前記フォーカスエラー信号のバランス調整のためのオフセット初期値の変更を行った後、システムコントローラ１４のトラック・オン手段は、トラッキングドライブ回路１７を駆動させ、光ピックアップ３のトラッキング用アクチュエータ（図示せず）を制御して対物レンズ（図示せず）を光ディスク１に対して半径方向に動かし光ピックアップ３からのレーザービームが光ディスク１のトラック面に照射されるように光ピックアップ３をトラック・オンさせる（ステップＳ９）。
【００４６】
このように光ピックアップ３がトラック・オンされた後、システムコントローラ１４の受光のバランス調整手段は、前記変更されたオフセット初期値に基づいてフォーカスエラー信号のバランス調整を行う（ステップＳ１０）。即ち、受光のバランス調整手段は、フォーカスエラー検出回路１２からのフォーカスエラー信号を入力し、このフォーカスエラー信号がディスク記録面との距離の変化に応じてＳ字状に変化し、このＳ字カーブが基準電圧をクロスする位置が合焦点となり、ＲＦ信号のジッタも最小となるように変更されたオフセット初期値に基づくオフセット電圧をフォーカスエラー信号に印加し、フォーカスエラー信号のバランス調整を行う。
【００４７】
以上説明したように本実施形態によれば、フォトディテクタの受光のバランスが大きくずれていても、フォーカスエラー信号へのオフセット初期値を変更して、フォーカスエラー信号のバランス調整を行うようにしたので、フォーカスエラー信号のバランス調整が改善され、これにより、フォーカスサーボの精度が向上し、高精度の再生信号を得ることができる。また、従来のように、フォトディテクタの受光のバランスの許容範囲を狭くする必要が無くなり、これにより、調整作業が簡単にできて、生産効率が向上し、コストダウンも図れる。
【産業上の利用可能性】
【００４８】
本発明は、ＤＶＤプレイヤなどの光ディスク再生装置におけるフォーカスエラー信号へのオフセット電圧を調整する機能に利用可能であり、フォーカスエラー信号のバランス調整を改善することができる。
【図面の簡単な説明】
【００４９】
【図１】本発明の一実施形態に係る光ディスク再生装置の構成を示すブロック図である。
【図２】前記実施形態においてトラッキングエラー検出回路およびフォーカスエラー検出回路に含まれるエラー信号生成回路の回路図である。
【図３】前記実施形態において光ピックアップのフォトディテクタの受光のバランスずれが無い場合のフォーカスエラー信号のバランス調整のためのオフセット値とＲＦ信号のジッタとの関係、およびフォトディテクタの大きな受光のバランスずれが有る場合の前記オフセット値とＲＦ信号のジッタとの関係をグラフで示した図である。
【図４】前記実施形態においてフォーカスエラー信号のバランス調整を行う際の処理を説明するためのフローチャートである。
【符号の説明】
【００５０】
１    光ディスク
３    光ピックアップ
１４    システムコントローラ
２０    メモリ
３１    フォトディテクタ
【図１】
2008257765.tif 000003
【図２】
2008257765.tif 000004
【図３】
2008257765.tif 000005
【図４】
2008257765.tif 000006